(57)【要約】【課題】  複数種の画像を任意に組み合わせて出力可能とすること。【解決手段】  画像データを入力するリーダ部１と、リーダ部から入力された画像データを複数記憶する外部記憶装置７と、外部記憶装置７に記憶されている複数の画像データを指定されたページ順に従い組み合わせて読み出すコア部１０とを有する。【選択図】  図１
2004357324.tif 000002
【特許請求の範囲】
【請求項１】
原稿を読み取る読取手段と、
画像データを入力する読み取り手段と異なる入力手段と、
複数ページの画像情報をページ番号情報とともに記憶する記憶手段と、
記憶手段から読み出すページの順序を指定する指定手段と、
前記記憶手段に記憶された、前記読み取り手段から読み取られた画像データと前記入力手段により入力された画像データから、それぞれのページ番号情報を基に、指定手段により指定された順序で検索読み出しを行って組み合わせる制御手段とを有し、
前記記憶手段は、前記組み合わせた画像データをファイル化指示により保存することを特徴とする画像処理装置。
【請求項２】
検索読み出しされた画像データをファクシミリ送信するファクシミリ送信手段を有することを特徴とする請求項１記載の画像処理装置。
【請求項３】
前記指定手段は、自装置が有する操作部であることを特徴とする請求項１記載の画像処理装置。
【請求項４】
前記指定手段は、インターフェースに接続された情報処理機器からページ順を指示できる手段であることを特徴とする請求項１記載の画像処理装置。
【請求項５】
前記指定手段は、記憶手段に記憶された画像データの任意のページの削除、選択、ページ順の入れ替えが指示できる手段であることを特徴とする請求項１記載の画像処理装置。
【請求項６】
前記入力手段は、情報処理機器を接続するコンピュータインターフェースであることを特徴とする請求項１乃至５のいずれかに記載の画像処理装置。
【請求項７】
原稿を読み取る読取工程と、
画像データを入力する読み取り工程と異なる入力工程と、
複数ページの画像情報をページ番号情報とともに記憶する記憶工程と、
記憶工程で記憶された画像データを読み出すページの順序を指定する指定工程と、
前記記憶工程で記憶された、前記読み取り工程から読み取られた画像データと前記入力工程により入力された画像データから、それぞれのページ番号情報を基に、指定工程により指定された順序で検索読み出しを行う制御工程とを有し、
前記記憶工程は、前記組み合わせた画像データをファイル化指示により保存することを特徴とする画像処理方法。
【請求項８】
検索読み出しされた画像データをファクシミリ送信することを特徴とする請求項７記載の画像処理方法。
【請求項９】
前記指定工程は、前記画像処理方法を行う装置が有する操作部であることを特徴とする請求項７記載の画像処理方法。
【請求項１０】
前記指定工程は、インターフェースに接続された情報処理機器からページ順を指示できる手段であることを特徴とする請求項７記載の画像処理方法。
【請求項１１】
前記指定工程は、記憶工程で記憶された画像データの任意のページの削除、選択、ページ順の入れ替えが指示できる工程であることを特徴とする請求項７記載の画像処理方法。
【請求項１２】
前記入力工程は、情報処理機器を接続するコンピュータインターフェースであることを特徴とする請求項７乃至１１のいずれかに記載の画像処理方法。
【発明の詳細な説明】
【技術分野】
【０００１】
本発明は、たとえば複写機能、ファクシミリ機能、プリンタフォーマッタ機能、画像電子ファイル機能を合わせ持つ画像処理装置に関するものである。
【背景技術】
【０００２】
従来では、画像電子ファイル内の情報と、手持ちの原稿を外部のファクシミリ受信機に転送する場合、画像電子ファイルはファクシミリ手順で動作可能な通信アダプタを介して転送し、手持ち原稿はファクシミリ送信機から転送する如く、別々のシステムと回線を利用して情報電送を実現していた。
【０００３】
また、ファクシミリ装置において、別領域に記憶された原稿と表紙とを所定の順序で取り出して一括送信することが記載されたものがある（たとえば、特許文献１）。
【０００４】
また、宛先毎に異なる画像、つまり表紙を外部の機器にて作成してファクシミリ装置に転送することが記載されたものがある（たとえば、特許文献２）。
【０００５】
また、操作部にて送信原稿をページ単位で差替え、追加、削除指示することが記載されたものがある（たとえば、特許文献３）。
【特許文献１】特開平３−１９２９５９号公報
【特許文献２】特開昭６２−２１７７６２号公報
【特許文献３】特開平５−２１９３２５号公報
【発明の開示】
【発明が解決しようとする課題】
【０００６】
しかし、このように別々のネットワークを利用し、ファクシミリ手順で情報転送する場合、システム構築のイニシャルコストやランニングコストがかかるうえ、電送の手間も多くかかってしまう。
【課題を解決するための手段】
【０００７】
本発明は以上の点に鑑みてなされたもので、原稿を読み取る読取手段と、画像データを入力する読み取り手段と異なる入力手段と、複数ページの画像情報をページ番号情報とともに記憶する記憶手段と、記憶手段から読み出すページの順序を指定する指定手段と、前記記憶手段に記憶された、前記読み取り手段から読み取られた画像データと前記入力手段により入力された画像データから、それぞれのページ番号情報を基に、指定手段により指定された順序で検索読み出しを行って組み合わせる制御手段とを有し、前記記憶手段は、前記組み合わせた画像データをファイル化指示により保存することを特徴とする画像処理装置を提供するものである。
【発明の効果】
【０００８】
以上説明してきたように、画像電子ファイル情報や手持ち原稿を同一の電子情報として取扱い、画像処理装置内で一つの原稿イメージとして転送できるため、操作性と通信コストが削減される。また、必要に応じて組み合わせた画像を保存することも出来る。
【発明を実施するための最良の形態】
【０００９】
図１は本発明の一実施例を示す画像処理システムの構成を表すブロック図である。
【００１０】
図１において、１は原稿を画像データに変換する画像入力装置で（以下リーダ部と称する）、原稿画像をＣＣＤリニアイメージセンサ等により光電的に読取ってデジタル画像データに変換し出力している。
【００１１】
２は複数種類の記録紙カセットを有し、リーダ部１より入力されるプリント命令によりリーダ部１からの画像データを記録紙上に可視像として出力する画像出力装置（以下プリンタと称する）である。
【００１２】
３はリーダ部１へのプリント指示やリーダ部１と電気的に接続された外部装置４に対する処理を指示する操作部である。外部装置４には、ファックス部５、ファイル部６、またファイル部６と接続されている外部記憶装置７、コンピュータ等の情報処理器機１１と接続するためのコンピュータインターフェイス部８、画像データ情報を可視像とするためのフォーマッタ部９、及び上記各機能を制御するコア部１０等を備えている。コア部１０は外部装置４の各構成要素であるファックス部５、ファイル部６、外部記憶装置７、コンピュータインターフェイス部８、フォーマッタ部９の状態管理やコマンドの入出力制御、及び画像データ入出力の制御を行っている。
【００１３】
今、リーダ部１に装備されている自動原稿読み取り装置上の複数枚の原稿と、光磁気ディスク等の被記憶媒体を備えた外部記憶装置７に予め記憶されているファイルとを操作部３からの設定により、原稿とファイルの各ページの送信順序を指定してファックス部５から通信回線を介して、遠隔地のファックス受信機にファクシミリ送信する場合の処理について図１〜図７を用いて説明を行う。尚、図２はリーダ部の動作、図３はコア部の動作、図４はファックス部の動作、図５〜図７は夫々画像の配列を示す。
【００１４】
まず、リーダ部１の自動原稿読み取り装置に送信すべき複数枚の原稿をセットする。
【００１５】
次に、操作部３から外部記憶装置７に記録されている画像ファイル中の送信を望むファイル名を指定する。
【００１６】
次に相手ファックスの加入者番号を操作部３より入力し、送信ボタンを押す。
【００１７】
リーダ部１は自動原稿読み取り装置上の原稿を１枚ずつ読み取り（Ｓ１）、ページ単位にデジタル画像データに変換しながら（Ｓ２）、そのデジタル画像データにページ番号情報を各原稿毎に付与し（Ｓ３）、コア部１０に引き渡す（Ｓ４）。リーダ部１はこの処理を自動原稿読み取り装置上の全原稿に対して行う。
【００１８】
コア部１０は受け取ったデジタル画像データ（Ｓ１１）を、ページ番号情報とともに一旦外部記憶装置７に記憶する（Ｓ１２）。
【００１９】
次に操作部３から指示された送信ページ順序を解析し（Ｓ１３）、解析内容を基に外部記憶装置７から１ページずつデジタル画像データの検索抽出を行う（Ｓ１４）。
【００２０】
ここで、外部記憶装置７に予め記憶されているファイル情報には、画像データの属性情報のほかにページ単位でページ番号情報が付与されている。
【００２１】
今、図５に示す如く、自動原稿読み取り装置に５枚の原稿（Ａ）がセットされていて、同時に送信されるファイル情報が２ページの画像データ（Ｂ）である時に、（Ｃ）のようなページ順序の送信ファイルとしてファクシミリ送信する設定が、操作部３よりされた場合を説明する。コア部１０は外部記憶装置７に一時記憶させた原稿（Ａ）とファイル（Ｂ）のページ番号情報を基に、１ページ目の原稿のデジタル画像データ、２ページ目の原稿のデジタル画像データ、１ページ目のファイル情報、３ページ目の原稿デジタル画像データ、２ページ目のファイル情報、４ページ目の原稿のデジタル画像データの順で外部記憶装置７からデータの検索読出しを行い、ファックス部５に転送し（Ｓ１５）、更に操作部３で入力された加入者番号情報をファックス部５にコマンド指示する（Ｓ１６）。
【００２２】
ファックス部５は、コア部１０から受けたデジタル画像データ（Ｓ２１）を、周知の圧縮手法等を用いてファクシミリ符号に変換後（Ｓ２２）、相手ファックスにダイヤリングを実行して（Ｓ２３）、画像送信を行う（Ｓ２４）。
【００２３】
尚、送信原稿の組み合わせは図５だけでなく図６のようにリーダ部１で読取られた複数枚の原稿の任意のページの削除或いは選択したり、図７のようにページ順を入れ替えたりする組み合わせも操作部３の指示によって可能である。
【００２４】
また、組み合わせられる原稿としては、手持ち原稿とファイルだけでなく、コンピュータインタフェース部８に接続された情報処理機器１１から送られてくる画像データを外部記憶装置７に記憶させ、前述と同様に選択送信させることも可能であり、前述の操作部３からの設定内容は、情報処理機器１１からも操作部３からと同様に設定するようにしてもよい。
【００２５】
また、組み合わせにより送信した画像データに、ファイル化の指示を与えることにより、ファクシミリ送信と同時に外部記憶装置７に保存させてもよい。
【図面の簡単な説明】
【００２６】
【図１】画像形成装置の全体図。
【図２】リーダ部の原稿読み取り動作フローチャート図。
【図３】原稿組み合わせ送信処理のコア部の動作フローチャート図。
【図４】ファックス部の送信処理の動作フローチャート図。
【図５】送信原稿の組み合わせ例を示す図。
【図６】送信原稿の組み合わせ例を示す図。
【図７】送信原稿の組み合わせ例を示す図。
【符号の説明】
【００２７】
１  リーダ部
３  操作部
４  外部装置
１０  コア部
【図１】
2004357324.tif 000003
【図２】
2004357324.tif 000004
【図３】
2004357324.tif 000005
【図４】
2004357324.tif 000006
【図５】
2004357324.tif 000007
【図６】
2004357324.tif 000008
【図７】
2004357324.tif 000009